(57)【要約】【課題】  本発明は、製品コストの増大を抑えつつ、原稿読取手段の駆動機構等に不具合が生じてしまうのを有効に防止することができる原稿読取装置を提供する。【解決手段】  透明板からなる第１ガラス板１１１及び第２ガラス板１１２が設けられた下部ユニット１０と、この下部ユニット１０内に第２ガラス板１１２の面方向に沿って移動自在に設けられた第２画像読取部７０と、第２画像読取部７０に係合して第２画像読取部７０の移動を規制する移動規制手段１００とを備え、第２画像読取部７０と移動規制手段１００との係合状態が、下部ユニット１０に設けられた窓部（例えば、第２ガラス板１１２等）から視認可能となるようにした。【選択図】  図２
2010263344.tif 000002
【特許請求の範囲】
【請求項１】
原稿読取板が設けられた読取装置本体と、前記読取装置本体内に前記原稿読取板の面方向に沿って移動自在に設けられた原稿読取手段と、前記原稿読取手段に係合して前記原稿読取手段の移動を規制する移動規制手段とを備え、前記原稿読取手段と前記移動規制手段との係合部は、前記読取装置本体に設けられた窓部から視認可能であることを特徴とする原稿読取装置。
【請求項２】
前記窓部は、前記読取装置本体の前記原稿読取板を含む面上に設けられ、前記原稿読取手段と前記移動規制手段との係合は、前記窓部に対向する領域で行われることを特徴とする請求項１記載の原稿読取装置。
【請求項３】
前記窓部は、前記読取装置本体の前記原稿読取板より外側の端部に設けられ、前記原稿読取手段と前記移動規制手段との係合は、前記窓部に対向する領域で行われることを特徴とする請求項１又は２記載の原稿読取装置。
【請求項４】
前記原稿読取手段は、原稿読取前の待機位置であるホームポジションから前記原稿読取板の面方向に沿って移動自在であり、前記原稿読取手段と前記移動規制手段との係合は、前記原稿読取手段のホームポジションにおいて行われることを特徴とする請求項１〜３の何れか１項に記載の原稿読取装置。
【請求項５】
前記読取装置本体上に開閉自在に搭載されて前記原稿読取手段に向かって原稿を搬送する原稿搬送手段を備え、前記読取装置本体の前記原稿読取板より外側の端部には、透明板からなる他の原稿読取板が設けられると共に、前記原稿読取手段は、前記他の原稿読取板に対向する領域まで移動自在に設けられ、且つ前記他の原稿読取板に対向する位置においては、搬送状態の原稿読取を前記原稿読取手段により行うようになっており、前記他の原稿読取板は前記窓部を兼ねることを特徴とする請求項１〜４の何れか１項に記載の原稿読取装置。
【請求項６】
前記原稿読取板と前記他の原稿読取板とが並列に配設され、且つ前記他の原稿読取板の一端部は、隣接する前記原稿読取板の一端部より突出した突出部からなり、前記他の原稿読取板の前記突出部に対応する部分が前記窓部となることを特徴とする請求項５記載の原稿読取装置。
【請求項７】
前記移動規制手段は、前記原稿読取手段の一端部に設けられた係合溝に係合すると共に前記係合溝に対して進退自在に設けられた係合突起部を有し、前記係合溝に対する前記係合突起部の係合状態が前記窓部から視認可能であることを特徴とする請求項１〜６の何れか１項に記載の原稿読取装置。
【請求項８】
前記原稿読取手段が原稿読取前の待機位置であるホームポジションに位置する際、前記係合溝は、前記窓部に対向する領域内に位置しており、前記係合突起部は、前記窓部に対向する領域より外側の視認できない位置と前記係合溝に係合する係合位置との間を進退自在であることを特徴とする請求項７記載の原稿読取装置。
【請求項９】
前記係合突起部の表面色は、前記係合溝及びその周辺部の部材の表面色と異なることを特徴とする請求項７又は８記載の原稿読取装置。
【発明の詳細な説明】
【技術分野】
【０００１】
本発明は、例えば、紙等のシート材や冊子等からなる原稿の画像読取を行う原稿読取装置に関する。
【背景技術】
【０００２】
従来から、原稿面に沿って画像読取手段であるキャリッジを走査して原稿の画像読取を行う画像読取装置が知られている（例えば、特許文献１参照）。このような従来の画像読取装置においては、運搬時等に振動や外力を受けてキャリッジが動くこと等により、キャリッジの駆動機構等が損傷することがあるため、予めキャリッジを固定する機構が設けられている。
【０００３】
すなわち、上述した従来の画像読取装置では、運搬時等においてキャリッジを予め固定化しておくことにより、キャリッジの駆動機構等の損傷を防止することができる。しかしながら、ユーザによる実際の使用時等においては、ユーザがキャリッジ固定を解除せず、そのままキャリッジの駆動機構を動作させることがある。このような場合には、キャリッジの駆動機構に余分な負荷がかかるため、その後に、キャリッジ固定を解除したとしても、キャリッジがスムーズに走査できない等の問題が発生するおそれがある。
【０００４】
なお、従来の画像読取装置では、上記の問題を解消するため、例えば、センサ等を別途設けて、キャリッジが固定されているか否かを検出することも行われている。しかしながら、このような対策では、センサ等を別途設ける必要があるため、装置が複雑化し、製品コストが増大するという問題がある。
【先行技術文献】
【特許文献】
【０００５】
【特許文献１】特開２００８−１２４６０６号公報
【発明の概要】
【発明が解決しようとする課題】
【０００６】
本発明は上述した事情に鑑み、製品コストの増大を抑えつつ、原稿読取手段の駆動機構等に不具合が生じてしまうのを有効に防止することができる原稿読取装置を提供することを目的とする。
【課題を解決するための手段】
【０００７】
上記目的を達成するための本発明の原稿読取装置は、原稿読取板が設けられた読取装置本体と、前記読取装置本体内に前記原稿読取板の面方向に沿って移動自在に設けられた原稿読取手段と、前記原稿読取手段に係合して前記原稿読取手段の移動を規制する移動規制手段とを備え、前記原稿読取手段と前記移動規制手段との係合部は、前記読取装置本体に設けられた窓部から視認可能であることを特徴とする。
【発明の効果】
【０００８】
本発明の原稿読取装置によれば、運搬時やユーザが使用する際等において、窓部から原稿読取手段と移動規制手段との係合部（係合状態）を視認可能としたので、原稿読取手段の駆動機構等に不具合が生じてしまうのを有効に防止することができ、また、装置が複雑化することがなく製品コストの増大を抑えることができるという効果を奏する。
【図面の簡単な説明】
【０００９】
【図１】実施形態１に係る原稿読取装置の構成を示す概略断面図。
【図２】実施形態１に係る原稿読取装置の画像読取面側の上面図。
【図３】実施形態１に係る原稿読取装置の要部を示す概略上面図。
【図４】実施形態２に係る原稿読取装置の要部を示す概略上面図。
【図５】実施形態３に係る原稿読取装置の要部を示す概略上面図。
【図６】実施形態４に係る原稿読取装置の画像読取面側の上面図。
【発明を実施するための形態】
【００１０】
以下に本発明を実施するための形態に基づいて詳細に説明する。
【００１１】
（実施形態１）
図１は、本発明の実施形態１に係る原稿読取装置の構成を示す概略図である。また、図２は、図１の原稿読取装置に係る画像読取面の概略構成を示す上面図である。
【００１２】
図１及び図２に示すように、本実施形態の原稿読取装置１は、原稿Ｄを搬送しながら原稿Ｄの片面又は両面の画像を読み取る装置例であり、装置下部を構成する下部ユニット１０と、この下部ユニット１０に対して開閉する方向に回動自在に設けられる上部ユニット２０とを備え、上下に二分割された構造を有している。
【００１３】
例えば、本実施形態では、上部ユニット２０の幅方向一端部側は、対応する下部ユニット１０の幅方向一端部に対してヒンジ等からなるリンク部材３０により２箇所で回動自在に連結されており、上部ユニット２０が下部ユニット１０に対して開閉自在となっている。具体的には、本実施形態の原稿読取装置１は、原稿Ｄの幅方向、すなわち、搬送方向と直交する方向において上部ユニット２０が開閉自在になっている。
【００１４】
上部ユニット２０は、上端部に設けられて複数の原稿Ｄを載置する原稿載置台２１と、この原稿載置台２１から原稿Ｄを略Ｕ字状に搬送する搬送経路２２と、この搬送経路２２の出口（開口）近傍に設けられた原稿排出台２３とを有する。
【００１５】
また、上部ユニット２０の搬送経路２２の一端側、すなわち、原稿載置台２１側で原稿Ｄの給送口（取込口）近傍には、原稿載置台２１から上部ユニット２０内部への原稿Ｄの取込を行う取込手段となるピックアップローラ２４が設けられている。
【００１６】
さらに、搬送経路２２のピックアップローラ２４より搬送方向下流側には、給送ローラ２５とこの給送ローラ２５に対向する分離ローラ２６とが配置されている。すなわち、ピックアップローラ２４で取り込まれた原稿Ｄは、その下流側において給送ローラ２５及び分離ローラ２６で１枚ずつ分離しながら搬送されるようになっている。
【００１７】
また、上部ユニット２０の搬送経路２２には、給送ローラ２５及び分離ローラ２６よりも搬送方向下流側において、２組の搬送ローラ対２７，２８が間隔をあけて併設されている。なお、このような上部ユニット２０の搬送経路２２の他端側、すなわち、原稿Ｄの排出口側には、搬送経路２２より排出される原稿Ｄを受ける原稿排出台２３が設けられている。この原稿排出台２３は、上述した原稿載置台２１の下方に位置している。
【００１８】
したがって、このような搬送経路２２を有する上部ユニット２０では、原稿載置台２１からピックアップローラ２４により原稿Ｄが上部ユニット２０内部に取り込まれ、給送ローラ２５及び分離ローラ２６により１枚ずつ略Ｕ字状の搬送経路２２に給送され、搬送ローラ対２７，２８を経由して、原稿載置台２１の下方に位置する原稿排出台２３に１枚ずつ排出されるようになっている。
【００１９】
ここで、本実施形態では、上部ユニット２０の搬送経路２２の搬送方向下流側、詳細には、搬送方向が変更される折り返し部（Ｕターンカーブ）より少し下流側おいては、２組の搬送ローラ対２７，２８で挟まれた壁部に、原稿Ｄの一方面側の画像を主走査方向、すなわち、原稿搬送方向に対して直交する方向に読み取る第１画像読取部４０が配設されている。
【００２０】
第１画像読取部４０は、原稿Ｄの幅寸法に対応する長さを有し、搬送経路２２に対向する側に配置されるコンタクトガラス４１と、搬送経路２２（実際には搬送経路２２を通過する原稿Ｄ）に光を照射する光源４２と、原稿Ｄからの反射光を受光して原稿Ｄの画像を読み取るラインイメージセンサ４３とで構成されている。
【００２１】
また、搬送経路２２の第１画像読取部４０に対向する側の内壁には、例えば、黒色の対向部材５０が設けられている。なお、この対向部材５０の搬送方向下流側には、シェーディング補正のため、例えば、白色の色基準部材５１が隣接して設けられている。ここでいうシェーディング補正とは、ラインイメージセンサ４３により色基準部材５１を読み取って光源の「光量むら」、ラインイメージセンサ４３の「感度むら」をラインイメージセンサ４３の画素単位で補正することをいう。
【００２２】
また、上部ユニット２０の搬送経路２２、具体的には第１画像読取部４０よりも搬送方向上流側には、搬送途中の原稿通過を検知するレジストセンサ６０が配置されている。これにより、原稿Ｄの搬送状態が、レジストセンサ６０により検知され、第１画像読取部４０での原稿Ｄの読取動作のタイミングを図ることが可能となっている。
【００２３】
例えば、第１画像読取部４０での原稿Ｄの読取動作は、レジストセンサ６０及び第１画像読取部４０間の距離をＬとし搬送速度をＶとすると、第１画像読取部４０に原稿Ｄが到達するＬ／Ｖ秒後に開始するようになっている。
【００２４】
このような上部ユニット２０が搭載される下部ユニット１０は、上端面の一部が、透明板からなり原稿読取板となるガラス板１１で構成されている。具体的には、ガラス板１１は、原稿Ｄの幅寸法に対応した長尺の第１ガラス板１１１と、原稿サイズに対応する大きさ寸法の第２ガラス板１１２とで構成されている。
【００２５】
そして、このようなガラス板１１の下方側には、本実施形態に係る原稿読取手段として、原稿Ｄ等の画像を読み取る第２画像読取部７０が設けられている。この第２画像読取部７０は、光源７２と、ラインイメージセンサ７３とで構成されている。また、第２画像読取部７０は、走査ガイドレール７４に保持されている。そして、第２画像読取部７０は、下部ユニット１０の端部に設けられた駆動手段７５により、走査ガイドレール７４上をガラス板１１（詳細には第２ガラス板１１２）の面方向に沿って移動自在に設けられている。
【００２６】
本実施形態では、第２画像読取部７０は、原稿読取前の待機位置（待機状態）において、第２ガラス板１１２よりも外側に位置するホームポジションに位置している。詳細には、本実施形態では、例えば、第２画像読取部７０の読取部は、第１ガラス板１１１と第２ガラス板１１２とを隔てる部分に設けられた白色の色基準部材５１に対向する領域に位置している。ここでは、第２画像読取部７０のホームポジションを第２ガラス板１１２より外側としたが、本発明は勿論これに限定されず、下部ユニット１０の所望の位置に適宜設定可能である。なお、この色基準部材５１は、シェーディング補正のため、例えば、原稿Ｄの幅寸法に対応する長さで設けられている。そして、第２画像読取部７０は、第２ガラス板１１２上に載置される原稿の画像読取の際において、ホームポジションから第２ガラス板１１２の面方向に沿って走査するようになっている。
【００２７】
これにより、本実施形態の原稿読取装置１では、上部ユニット２０を開状態、すなわち、下部ユニット１０に対して傾ける方向に動作させることで、下部ユニット１０の第２ガラス板１１２（画像読取面）が開放され、この第２ガラス板１１２上でも画像読取を行うことができる。すなわち、本実施形態では、略Ｕ字形状の搬送経路２２により複数枚の原稿Ｄを順次搬送しながら画像読取を行うことは勿論のこと、上部ユニット２０を持ち上げることで開放される画像読取面（第２ガラス板１１２）を介して第２画像読取部７０により、適宜、原稿Ｄを搬送しなくても、或いは、搬送できない原稿等について直接画像の読取を実行することができる。
【００２８】
一方、このような第２画像読取部７０は、第１ガラス板１１１の下方位置において、上述した上部ユニット２０内で搬送される原稿Ｄの他方面を主走査方向（原稿搬送方向と直交する方向）に読み取るようになっている。
【００２９】
具体的には、第２画像読取部７０は、上部ユニット２０内で搬送される原稿Ｄの画像読取を実行する際には、上記のホームポジションから第１ガラス板１１１の下方位置に移動する。一方、この第２画像読取部７０に対向する上部ユニット２０の下端部には、搬送経路２２に達するまで貫通した開口部が設けられ、この開口部に対向する壁部には、例えば、黒色の対向部材５０が設けられている。これにより、第２画像読取部７０は、上部ユニット２０の開口部を介して、搬送経路２２を原稿Ｄが通過する際に、その原稿Ｄの他方面を読み取ることができるようになっている。
【００３０】
このように、本実施形態では、上部ユニット２０において原稿Ｄを１回搬送するだけで、原稿Ｄの両面側の画像を読み取ることが可能となる。なお、実際には、第１画像読取部４０、及び第２画像読取部７０のそれぞれは、搬送経路２２を搬送する原稿Ｄに光源から光を照射して原稿から反射された光をラインイメージセンサ４３，７３で光電変換し、図示しないＡ／Ｄ変換部でデジタル化処理を施し、所定の色深度の画像データを出力する。そして、図示しない画像処理部では、第１画像読取部４０及び第２画像読取部７０から出力された画像データに対して、シェーディング処理、原稿位置検知処理、画像補正処理等を行った後、ホストＰＣ等に送信するようになっている。
【００３１】
このような本実施形態の原稿読取装置１においては、原稿読取手段である第２画像読取部７０と移動規制手段１００との係合が、読取装置本体となる下部ユニット１０に設けられた窓部に対向する領域で行われ、第２画像読取部７０と移動規制手段１００との係合部（係合状態）が、その窓部から視認可能となっている。ここで、第２画像読取部７０と移動規制手段１００との係合部が窓部から視認可能とは、例えば、本実施形態では、第２画像読取部７０に対する移動規制手段１００の係合過程が実際にリアルタイムで視認可能であることを意味する。
【００３２】
例えば、本実施形態では、図３に示すように、上述した第２画像読取部７０は、上述したホームポジションにおいて、移動規制手段１００によって移動が規制され、且つ第２画像読取部７０と移動規制手段１００との係合部が視認可能となっている。なお、図３は、本発明の実施形態１に係る原稿読取装置の要部を示す概略上面図である。
【００３３】
詳細には、移動規制手段１００は、図３に示すように、Ｌ字形状のフック部材１０１と、このフック部材１０１を保持する保持部材１０２とからなる。保持部材１０２は、下部ユニット１０の第１ガラス板１１１より外側の端部に配設され、第２画像読取部７０の走査方向と直交する方向にスライド移動自在に設けられている。
【００３４】
このため、フック部材１０１は、保持部材１０２のスライド動作に連動して、第２画像読取部７０の一端部に対して進退自在となっている。例えば、図３（ａ）に示すように、フック部材１０１は、第２画像読取部７０から退避している状態においては、下部ユニット１０の端部に隠れている。すなわち、フック部材１０１は、下部ユニット１０の第１ガラス板１１１に対向する領域より外側の端部に位置している状態では、下部ユニット１０の端部に内在している。一方、フック部材１０１は、図３（ｂ）に示すように、保持部材１０２のスライド移動に連動して、第２画像読取部７０の一端部に向かって移動し、先端側の係合突起部１０１ａが第２画像読取部７０の係合溝７０ａに係合する。
【００３５】
ここで、係合溝７０ａは、本実施形態では、第２画像読取部７０の上面に開口している。また、第２画像読取部７０は、図３に示すホームポジションにおいて、係合溝７０ａが第１ガラス板１１１に対向する領域内に位置するようになっている。このため、フック部材１０１の係合突起部１０１ａが係合溝７０ａに係合した係合部は、透明板である第１ガラス板１１１が窓部となって、第２画像読取部７０の上面側から視認可能となる。
【００３６】
このように、本実施形態の原稿読取装置１では、窓部となる第１ガラス板１１１から、原稿読取手段である第２画像読取部７０と移動規制手段１００との係合部を視認可能としたので、例えば、運搬時等において、第２画像読取部７０が固定状態となっているか否かを視認することができる。また、運搬等の後にユーザが使用する際においても、同様に、第１ガラス板１１１を通じて、第２画像読取部７０と移動規制手段１００との係合状態を視認できるため、固定状態の第２画像読取部７０を誤って動作させることを有効に防止することができる。
【００３７】
したがって、運搬時やユーザ使用等において、第２画像読取部７０の駆動機構（走査ガイドレール７４等）に余分な負荷がかかるのを低減することができ、第２画像読取部７０の駆動機構等に不具合等が生じるのを有効に防止することができる。また、本実施形態では、従来装置のようにセンサ等が不要になるため、装置が複雑化することがなく、製品コストの増大を抑えることができる。
【００３８】
（実施形態２）
図４は、本発明の実施形態２に係る原稿読取装置の要部を示す概略上面図である。
【００３９】
図４に示すように、本実施形態の原稿読取装置１Ａは、第１ガラス板１１１Ａの一端部を隣接する第２ガラス板１１２の一端部より突出させて突出部１１１ａを設け、この第１ガラス板１１１Ａの突出部１１１ａを窓部として第２画像読取部７０と移動規制手段１００との係合状態を視認可能とした以外は、上述した実施形態１と同様である。なお、本実施形態では、上述した実施形態１で説明した構成部分と同一部分については同一の符号を付して重複する説明は省略する。
【００４０】
具体的には、図４に示すように、第１ガラス板１１１Ａの長手方向の一端部側は、隣接する第２ガラス板１１２の一端部より所定量突出した突出部１１１ａとなっている。そして、第２画像読取部７０は、図４に示すホームポジションにおいて、係合溝７０ａが第１ガラス板１１１Ａの突出部１１１ａに対向する領域に位置している。そして、第１ガラス板１１１Ａの突出部１１１ａに対応する領域においては、第２画像読取部７０と移動規制手段１００との係合が行われる。
【００４１】
すなわち、図４（ａ）に示すように、フック部材１０１は、第２画像読取部７０から退避している状態では、下部ユニット１０の端部に隠れている。一方、フック部材１０１は、図４（ｂ）に示すように、保持部材１０２のスライド動作に連動して、第２画像読取部７０の一端部に向かって移動し、第２画像読取部７０の係合溝７０ａに係合する。このとき、フック部材１０１の係合突起部１０１ａと係合溝７０ａとが係合した係合部（係合状態）は、透明板である第１ガラス板１１１の突出部１１１ａが窓部となって視認可能となる。特に、本実施形態では、第１ガラス板１１１の突出部１１１ａが設けられているので、第２画像読取部７０の係合溝７０ａ側の端部近傍が広い範囲で視認可能となっている。このため、係合溝７０ａに対してフック部材１０１の係合突起部１０１ａを含む先端部が係合する過程が、リアルタイムに広い範囲で視認可能となる。
【００４２】
このように、本実施形態の原稿読取装置１Ａによれば、窓部となる第１ガラス板１１１の突出部１１１ａによって、原稿読取手段である第２画像読取部７０と移動規制手段１００との係合部を広い範囲で視認可能としたので、上述した実施形態１と同様に、運搬時やユーザ使用等において、第２画像読取部７０の駆動機構に余分な負荷がかかるのを低減することができる。
【００４３】
したがって、第２画像読取部７０の駆動機構等に不具合等が生じるのを有効に防止することができる。また、本実施形態においても、従来装置のようにセンサ等が不要であるため、装置が複雑化することがなく、製品コストの増大を抑えることができる。
【００４４】
（実施形態３）
図５は、本発明の実施形態３に係る原稿読取装置の要部を示す概略上面図である。
【００４５】
図５に示すように、本実施形態の原稿読取装置１Ｂは、原稿読取手段である第２画像読取部７０Ｂと移動規制手段１００Ｂとの係合を第２画像読取部７０Ｂの長手方向中央部の幅方向一端部側で行うようにした以外は上述した実施形態１と同様である。
【００４６】
具体的には、図５に示すように、第１ガラス板１１１Ｂの長手方向中央部の幅方向一端部側、すなわち、第２ガラス板１１２側とは反対側の中央端部は、第１ガラス板１１１Ｂの幅方向に所定量突出した突出部１１１ｂとなっている。なお、この突出部１１１ｂは、第１ガラス板１１１Ｂの一部であり、透明板から構成されている。
【００４７】
また、第１ガラス板１１１Ｂの突出部１１１ｂに対向する領域では、第２画像読取部７０Ｂがホームポジションの場合、第２画像読取部７０Ｂと移動規制手段１００Ｂとの係合可能となっている。例えば、本実施形態においては、第２画像読取部７０Ｂの側面には、略コの字状の係合爪７０ｂが設けられている。一方、移動規制手段１００Ｂは、下部ユニット１０Ｂの側面にスライド移動自在に設けられた保持部材１０２Ｂと、この保持部材１０２Ｂに連結されて第２画像読取部７０Ｂの係合爪７０ｂに係合自在となる略コの字状の係止爪１０１Ｂとからなる。すなわち、移動規制手段１００Ｂは、保持部材１０２Ｂのスライド移動により係止爪１０１Ｂを連動させ、この係止爪１０１Ｂが第２画像読取部７０Ｂの側面に設けられた係合爪７０ｂに係合することにより、第２画像読取部７０Ｂの移動を規制する。
【００４８】
このように、本実施形態では、第２画像読取部７０Ｂと移動規制手段１００Ｂとの係合、すなわち、係合爪７０ｂと係止爪１０１Ｂとの係合部は、上述した第１ガラス板１１１Ｂの一部を構成する突出部１１１ｂを窓部として視認可能としたので、上述した実施形態１と同様に、運搬時やユーザ使用等において、第２画像読取部７０Ｂの駆動機構に余分な負荷がかかるのを低減することができる。
【００４９】
したがって、第２画像読取部７０Ｂの駆動機構等に不具合等が生じるのを有効に防止することができる。また、本実施形態においても、従来装置のようにセンサ等が不要であるため、装置が複雑化することがなく、製品コストの増大を抑えることができる。なお、本実施形態の構造は、勿論、上述した実施形態２においても適用可能である。
【００５０】
（実施形態４）
図６は、本発明の実施形態４に係る原稿読取装置の画像読取面側の概略上面図である。
【００５１】
図６に示すように、本実施形態の原稿読取装置１Ｃは、上部ユニットの代わりに図示しない蓋部材を設け、この蓋部材で覆われる１つの原稿読取板（原稿読取面）であるガラス板１１Ｃに対向する領域内において、ガラス板１１Ｃに沿って移動自在となる画像読取部７０Ｃと移動規制手段１００Ｃとの係合を行うようにし、ガラス板１１Ｃを窓部として視認可能とした以外は上述した実施形態１と同様である。
【００５２】
具体的には、図６に示すように、ガラス板１１Ｃの端部（角部）に対向する領域において、画像読取部７０Ｃがホームポジションである場合、画像読取部７０Ｃと移動規制手段１００とが係合可能となっている。ここで、本実施形態では、画像読取部７０Ｃは、ホームポジションにおいて、ガラス板１１Ｃの長手方向一端部に対向する領域に位置している。一方、移動規制手段１００Ｃは、このホームポジションに位置する画像読取部７０Ｃの一端部に対応して設けられている。すなわち、移動規制手段１００Ｃは、ガラス板１１Ｃの長手方向一端部側の角部に対応して設けられている。
【００５３】
ここで、画像読取部７０Ｃの一端部には、係合溝７０ｃが設けられている。一方、移動規制手段１００Ｃは、読取装置本体１０Ｃの端部にスライド移動自在に設けられた保持部材１０２Ｃと、この保持部材１０２Ｃに連結されて第２画像読取部７０Ｃの係合溝７０ｃに係合自在となるＬ字状のフック部材１０１Ｃとからなる。
【００５４】
そして、このような移動規制手段１００Ｃは、画像読取部７０Ｃがホームポジションの状態おいて、保持部材１０２Ｃのスライド移動によりフック部材１０１Ｃを連動させ、このフック部材１０１Ｃの係合突起部１０１ｃを画像読取部７０Ｃの一端部に設けられた係合溝７０ｃに係合するようになっている。
【００５５】
このように、本実施形態では、画像読取部７０Ｃと移動規制手段１００Ｃとの係合、すなわち、フック部材１０１と係合溝７０ｃとの係合部は、上述したガラス板１１Ｃの角部を窓部として視認可能としたので、上述した実施形態１と同様に、運搬時やユーザ使用等において、画像読取部７０Ｃの駆動機構に余分な負荷がかかるのを低減することができる。
【００５６】
したがって、画像読取部７０Ｃの駆動機構等に不具合等が生じるのを有効に防止することができる。また、本実施形態においても、従来装置のようにセンサ等が不要であるため、装置が複雑化することがなく、製品コストの増大を抑えることができる。なお、本実施形態の構造は、勿論、上述した実施形態２においても適用可能である。
【００５７】
（他の実施形態）
以上、本発明の実施形態１〜４について説明したが、勿論、本発明は上述の実施形態１〜４に限定されるものではない。例えば、上述した実施形態１〜４では、読取装置本体（下部ユニット）の原稿読取面側である上面に設けた窓部から原稿読取手段と移動規制手段との係合部を視認可能としたが、本発明は勿論これに限定されず、原稿読取手段と移動規制手段との係合部が、読取装置本体に設けられた窓部から視認可能となっていればよく、読取装置本体の側面に設けるようにしてもよい。
【００５８】
また、窓部を設ける位置については、本発明は特に限定されず、例えば、ユーザが視認する頻度の高い部分、具体的には、読取装置本体の原稿読取板を含む面上等に窓部を設けることが好ましい。
【００５９】
また、上述した実施形態１〜４では、ガラス板を窓部として兼用した場合について説明したが、勿論これに限定されず、例えば、窓部として貫通孔等であってもよい。
【００６０】
さらに、上述した実施形態１〜３では、上部ユニットに第１画像読取部を設け、下部ユニットに第２画像読取部を設けた構造例を用いて説明し、上述した実施形態４では、読取装置本体に画像読取部を設けた構造例について説明したが、勿論本発明はこれに限定されず、例えば、原稿読取面に沿って移動自在である原稿読取手段を上部ユニットだけに設けてもよいし、このような構成に加えて下部ユニットに固定型の原稿読取部を設けて片面及び両面の読取を行うことができるようにしてもよい。例えば、原稿読取面を上向きにして原稿を載置する原稿載置台を有する下部ユニット上に、原稿読取面に沿って移動自在となる原稿読取手段を有する上部ユニットを設けた装置構造においても本発明を適用することができる。
【００６１】
また、上述した実施形態１，２及び４では、移動規制手段の保持部材を下部ユニットのガラス板の外側に設けた構造例について説明し、上述した実施形態３では、移動規制手段の保持部材を下部ユニットの側面に設けた構造例について説明したが、本発明は勿論これに限定されず、原稿読取手段と移動規制手段との係合が視認することができれば、その操作部を構成する保持手段を下部ユニットの底面に設けるようにしてもよい。
【００６２】
また、上述した実施形態２では、第１ガラス板の上方に位置する搬送経路において通過する原稿の画像読取を行う装置構造例を用いて説明したが、本発明は勿論これに限定されず、例えば、搬送経路の一部を第１ガラス板で画成し、搬送経路を通過する原稿の被読取面が第１ガラス板に対して面接触することが高画質の画像読取を行う点で好ましい。この場合には、例えば、第１ガラス板の長手方向の両側に突出部をそれぞれ設けて原稿の幅寸法よりも幅広とすることにより、上部ユニットから搬送される原稿Ｄの読取の際、原稿の幅方向両端部が第１ガラス板の長手方向両側の縁部に接触することを防止できるため、原稿をスムーズに搬送しながら画像読取を行うことができる。
【００６３】
また、上述した実施形態１，２及び４では、上部ユニットに搬送経路を設けた場合について説明したが、勿論本発明はこれに限定されず、下部ユニットに搬送経路を設けてもよいし、上部ユニットから下部ユニットに連続する搬送経路を設けるようにしてもよい。なお、本発明は、搬送経路の形状についてもＵ字形状に限定されるものではない。
【００６４】
さらに、上述した実施形態１〜４では、原稿読取手段と移動規制手段との係合部を窓部から視認可能とした場合について説明したが、このような係合部について、その周辺の部材と区別するため、周辺部材と異なる表面色にすることが好ましい。例えば、係合突起部の表面色を係合溝及びその周辺部の部材の表面色と異なるようにする。これにより、原稿読取手段と移動規制手段との係合が外観上、容易に且つ確実に識別することができる。
【００６５】
なお、上述した実施形態１〜４では、本発明の原稿読取置を適用した一例として原稿の画像読取装置を挙げて説明したが、本発明は、広く原稿の読取装置の全般を対象としたものである。すなわち、本発明は、原稿の画像読取に限定されず、磁気読取等にも適用することができる。また、原稿の形態は特に限定されず、例えば、紙やフィルム等のシート材からなる原稿であってもよいし、冊子等の原稿であってもよい。
【符号の説明】
【００６６】
Ｄ        原稿
１        画像読取装置
１０      下部ユニット
１１      ガラス板
２０      上部ユニット
２２      搬送経路
３０      リンク部材
４０      第１画像読取部
７０      第２画像読取部
７０ａ    係合溝
１００    移動規制手段
１０１    フック部材
１０１ａ  係合突起部
１０２    保持部材
１１１    第１ガラス板
１１２    第２ガラス板
【図１】
2010263344.tif 000003
【図２】
2010263344.tif 000004
【図３】
2010263344.tif 000005
【図４】
2010263344.tif 000006
【図５】
2010263344.tif 000007
【図６】
2010263344.tif 000008